(57)【要約】【課題】  キャップを軸筒の尾端部に嵌着したときに軸筒の表面に擦り傷が発生することがなく、しかもキャップを軸筒の尾端部に確実に保持できるキャップ付万年筆を提供する。【解決手段】  筆記具本体の軸筒１０は金属製のストレートの有底円筒体であって、このストレート部の尾端側に角度の比較的大きなテーパー１１を一体に形成し、キャップの蓋体の奥底部には、軟弾性体からなり、先端の内周面がテーパー面である保持部材２０を配置し、キャップを軸筒の尾端部に嵌着すると、保持部材のテーパー面が軸筒のテーパー部に密着して保持されるようにする。また、保持部材の先端部とキャップの蓋体の内周面との間に微小な隙間を設ける。【選択図】  図３
2007030334.tif 000002
【特許請求の範囲】
【請求項１】
筆記具本体の軸筒は金属製のストレートの有底円筒体であり、このストレート部の尾端側に角度の比較的大きなテーパー部が一体に形成され、
キャップの蓋体の奥底部には、軟弾性体からなり、先端の内周面がテーパー面である保持部材が配置され、
キャップを軸筒の尾端部に嵌着すると、前記保持部材のテーパー面が軸筒のテーパー部に密着して保持されることを特徴とするキャップ付筆記具。
【請求項２】
前記保持部材の先端部の外径が弾性変形により拡開可能なように、該保持部材の先端部とキャップの蓋体の内周面との間に、微小な隙間が存在することを特徴とする請求項１記載のキャップ付筆記具。
【発明の詳細な説明】
【技術分野】
【０００１】
本発明は、筆記時などにおいてキャップが筆記具本体の軸筒の尾端部に嵌着されるキャップ付筆記具に関する。
【背景技術】
【０００２】
水性インキのように蒸発しやすいインキを使用する筆記具においては、非筆記時においてインキがペン体から蒸発するのを防止するために、また、インキが外部の洋服などに付着しないように、筆記具本体の先端部にキャップを装着してペン体を密封することが多い。そして、このようなキャップ付筆記具においては、筆記具本体の先端部から取り外したキャップを筆記具本体の軸筒の尾端部に嵌着して筆記することが多い。ことに万年筆は比較的重量感のあるキャップが使用されるが、このキャップを軸筒の尾端に嵌着すると、筆記具の前後の重量バランスが良好になって筆記しやすいように設計されているので、筆記時においては必ずと言ってよいほどキャップは軸筒の尾端部に嵌着される。
【発明の開示】
【発明が解決しようとする課題】
【０００３】
筆記具、ことに万年筆の軸筒は、その中央部から尾端側にかけて緩い角度のテーパー状であることが多く、キャップを軸筒の尾端部に嵌着したとき、キャップの蓋体の内周面が軸筒のテーパー面に食いつくような状態で保持される。したがって、蓋体の内周面が軸筒の表面に少し摺動するが、このため、長期間使用していると軸筒の表面に擦り傷ができやすい。ことに、軸筒の表面に装飾用の塗装や梨地処理などを施している高級万年筆の場合は、擦り傷により装飾用の塗装や梨地処理などが部分的に欠損して致命的な欠陥となる不具合がある。
【０００４】
そこで本発明は、キャップを軸筒の尾端部に嵌着したときに軸筒の表面に擦り傷が発生することがなく、しかもキャップを軸筒の尾端部に確実に保持できるキャップ付万年筆を提供することを目的とする。
【課題を解決するための手段】
【０００５】
かかる目的を達成するために、請求項１の発明のキャップ付筆記具は、筆記具本体の軸筒は金属製のストレートの有底円筒体であって、このストレート部の尾端側に角度の比較的大きなテーパー部を一体に形成し、キャップの蓋体の奥底部には、軟弾性体からなり、先端の内周面がテーパー面である保持部材を配置し、キャップを軸筒の尾端部に嵌着すると、保持部材のテーパー面が軸筒のテーパー部に密着して保持されるようにする。
【０００６】
請求項２の発明のように、請求項１の発明において、保持部材の先端部の外径が弾性変形により拡開可能なように、保持部材の先端部とキャップの蓋体の内周面との間に、微小な隙間を設けるのがよい。
【発明の効果】
【０００７】
キャップを軸筒の尾端部に嵌着すると、軟弾性体からなる保持部材のテーパー面が軸筒のテーパー部に密着して保持されるので、キャップを確実に保持できるが、軸筒の大部分を占めるストレート部にはキャップ蓋体の内周面が摺動しないので、ストレート部に装飾用の塗装などを施している場合であっても擦り傷が発生することがない。
また、保持部材の先端部とキャップの蓋体の内周面との間に微小な隙間を設けると、保持部材の先端部の外径が弾性変形により拡開しやすく、キャップをより確実に保持することができる。
【発明を実施するための最良の形態】
【０００８】
以下に図面に基づいて発明を実施するための最良の形態を説明する。図面は万年筆に本発明を適用した例を示すが、万年筆に限られるものではない。図１において、筆記具本体の軸筒１０は、ストレートなステンレスパイプからなり、表面には塗装や梨地処理などにより美的な処理が施されている。軸筒１０のストレート部の尾端側にはテーパー部１１が一体に成形されている。テーパー部１１のテーパー角度は筆記具の軸筒としては比較的大きく、テーパー面の延長線の交点の角度は例えば３５°程度である。したがって、テーパー部１１の軸線方向の長さは軸筒１０のストレートな部分に比べてずっと短く、軸筒１０全体の直線が強調された印象は保たれている。
【０００９】
前軸１３もストレートなステンレスパイプからなり、継ぎ手１２により軸筒１０と着脱可能に連結されている。継ぎ手１２は合成樹脂からなり、軸筒１０と前軸１３の間で表面に露出しており、この露出部分にキャップを螺合するためのねじ溝１２１が形成されている。前軸１３の先端開口には先口１４が固定され、先口１４内にペン体１６とインキ保留部材１５が保持されている。先口１４の尾端部は突き刺し管１４１であり、図示略のインキカートリッジがこの突き刺し管１４１に突き刺されて保持され、インキカートリッジ内のインキがインキ保留部材１５を通ってペン体１６に供給され、筆記に供される。
【００１０】
キャップの蓋体ケース２１もステンレスパイプで成形されており、蓋体ケース２１内面には合成樹脂で筒状に成形された入れ子２２が接着により固着されている。つまり、蓋体ケース２１と入れ子２２で蓋体を構成している。入れ子２２の内径は、軸筒１０の尾端側に差し込む際に軸筒１０の表面にあまり接触しないよう、軸筒１０の外径に対して十分なクリアランスが取られている。入れ子２２の先端部にはねじ溝２２１が形成されており、非筆記時には、図１に示すように、キャップは筆記具本端の先端部に装着され、このねじ溝２２１が継ぎ手１２のねじ溝１２１に螺合する。
【００１１】
蓋体の奥底部には保持部材２０が配置されている。保持部材２０は軟弾性部材、例えば軟質のシリーコンゴムにより有底筒状に成形されたものであり、先端部２０１の内周面はテーパー面になっている。また、保持部材２０中腹の外周面には鍔部２０２が形成されており、鍔部２０２が入れ子２２の尾端部に螺着された尾栓２３の脚部２３３と入れ子２２の段部によって挟圧されて保持されている。ここで、保持部材２０の先端部２０１の外周面と入れ子２２の内周面の間には微小な隙間Ｓが存在する。
【００１２】
尾栓２３には、図２に示すように、孔部２３１が形成され、また内部に一対のクリップ保持片２３２、２３２が対向して形成されている。一方、クリップ２４は、その基端部に二股状の弾性片２４１、２４１が形成され、弾性片２４１の先端に係止部２４２が形成されている。そして、弾性片２４１，２４１を内側に変形させた状態で尾栓２３の孔部２３１に挿入し、係止部２４２が一対のクリップ保持片２３２、２３２の間を通過すると弾性片２４１，２４１の弾性変形が解除され、係止部２４２がクリップ保持片２３２にそれぞれ係止してクリップ２４が固定される。
【００１３】
筆記するときは、図１の状態からキャップを取り外し、図３に示すように、軸筒１０の尾端部に被せるようして嵌着するが、嵌着する過程でテーパー部１１がキャップ内の保持部材２０の先端部２０１内周面のテーパー面に入り込む。そして、そして更に押し込むと、保持部材２０の先端部２０１の外周面と入れ子２２の内周面の間には微小な隙間Ｓが存在するので、先端部２０１は弾性変形して拡開し、テーパー部１１に強く密着する。したがって、テーパー部１１のテーパー角度が比較的大きいにもかかわらず、キャップはしっかりと保持される。そして、入れ子２２の内径は軸筒１０の外径に対して十分なクリアランスが取られているので、キャップを軸筒１０の尾端部に装着する過程で、入れ子２２の内周面が軸筒１０の表面に接触することはあっても、強い圧力で軸筒１０の表面を摺動することはないので、軸筒１０表面に擦り傷は生じず、塗装による美的処理や梨地処理などが欠損することがない。
【図面の簡単な説明】
【００１４】
【図１】キャップを筆記具本体の先端部に装着した状態の断面図である。
【図２】図１のＡ−Ａ線における断面図である。
【図３】キャップを筆記具本体の尾端部に装着した状態の断面図である。
【符号の説明】
【００１５】
１０    軸筒
１１    テーパー部
１２    継ぎ手
１３    前軸
１４    先口
１５    インキ保留部材
１６    ペン体
２０    保持部材
２１    蓋体ケース
２２    入れ子
２３    尾栓
２４    クリップ
【図１】
2007030334.tif 000003
【図２】
2007030334.tif 000004
【図３】
2007030334.tif 000005